(57)【要約】【課題】  可搬型画像記録装置内部にマイクロ波通信用のアンテナを配備したとしても、アンテナが本来持つ特性がそのまま発揮される可搬型画像記録装置を提供する。【解決手段】  グリップ部１０ａから離間した位置に内蔵アンテナ１５ａを内蔵する。マイクロ波通信により画像データが送信されてきたときに内蔵アンテナ１５ａで画像データを受信してその画像データに基づく画像をインスタントフィルムシート１００１上に記録して外部へ排出する。【選択図】  図２
2006106612.tif 000002
【特許請求の範囲】
【請求項１】
記録媒体が装填され装填された記録媒体への画像記録および該記録媒体の外部への排出を行なう可搬型画像記録装置において、
この可搬型記録装置を手で把持するためのグリップ部と、
前記グリップ部を把持した手による覆いを免れた位置に内蔵され、画像データを受信する内蔵アンテナと、
装填された記録媒体上に前記内蔵アンテナで受信された画像データに基づく画像を記録する画像記録部と備えたことを特徴とする可搬型記録装置。
【請求項２】
電池が装填される電池室を備え、この可搬型画像記録装置は、該電池室に装填された電池からの電力供給を受けて動作するものであって、
前記電池室が、前記グリップ部に設けられたものであることを特徴とする請求項１記載の可搬型記録装置。
【請求項３】
装填された記録媒体を搬送する搬送ローラを前記アンテナとは離間した位置に備えたことを特徴とする請求項１記載の可搬型記録装置。
【請求項４】
前記記録媒体は、露光され現像剤の展開を受けることにより画像が記録される記録部と該記録部よりも搬送方向前端側に設けられた現像剤溜りとを有するインスタントフィルムシートであって、
前記現像剤溜まりを押し潰して現像剤を前記記録部に展開する現像ローラを、前記アンテナとは離間した位置に備えたことを特徴とする請求項１記載の可搬型記録装置。
【発明の詳細な説明】
【技術分野】
【０００１】
本発明は、記録媒体が装填され装填された記録媒体への画像記録および該記録媒体の外部への排出を行なう可搬型画像記録装置に関する。
【背景技術】
【０００２】
最近ではプリンタの小型化が進み、携帯電話機と同様、携帯することができる可搬型の画像記録装置いわゆるプリンタが注目を浴びている。このような可搬型のプリンタを携帯電話と一緒に携帯すると、カメラ付き携帯電話で撮影された画像データを撮影した場所で可搬型のプリンタに転送してすぐさまプリントを行なうことができる。このような目的で開発された可搬型のプリンタの中には徹底した小型軽量化を図って、携帯電話機を片手に持って、もう一方の手に可搬型のプリンタを持って携帯電話機からの画像データをプリンタに送信することにより画像をプリントすることができるようにしたものもある。
【０００３】
ところで、携帯電話機にはシリアルインタフェースとしてＵＳＢインターフェースなどが配備されているものもあるが、このＵＳＢインターフェースのような有線インターフェースの代わりに携帯機器と外部機器との間を無線で結ぶ無線インターフェースを配備しようとする動きがある。このような無線インターフェースとして有名なものにＩｒｄａ規格に準拠したものやＢｌｕｅｔｏｏｔｈ規格に準拠したものなどがある。双方のインターフェースとも近距離通信用のインターフェースであり、Ｉｒｄａ規格は携帯機器から近距離に在る一外部機器に対して赤外線を用いて画像データを送信すること、また外部機器から赤外線により送信されてきた画像データを受信することを前提として定められた規格であり、後者のＢｌｕｅｔｏｏｔｈ規格はスペクトラム拡散技術の中の周波数ホッピング（ＦＨ）技術を利用したものである。現在、Ｉｒｄａ規格に準拠したインターフェースを搭載する携帯機器が増えてきているが、通信相手と対峙し設ける必要がなく利便性の良い点からＢｌｕｅｔｏｏｔｈ規格に準拠したインターフェース（以降Ｂｌｕｅｔｏｏｔｈインターフェース）が今後、多くの携帯機器に搭載されるものと見込まれている。しかし、このＢｌｕｅｔｏｏｔｈインターフェースを前述の可搬型のプリンタ内部に配備しようとすると、どうしても送受信用のアンテナをプリンタ側に配備する必要が出てくる。
【０００４】
このようなアンテナは、通常、プリンタの外部に配備されるものであるため、プリンタの外観が損なわれてしまう危険性があるが、最近Ｂｌｕｅｔｏｏｔｈ用のアンテナとして開発された近距離用の超小型アンテナをプリンタ内に配備すれば、スタイリッシュなプリンタが実現される。
【０００５】
しかしながら、超小型アンテナをプリンタ内部に配備しようとすると、プリンタが小型であればあるほどそのアンテナが金属部品近傍に配置されるケースが増え、アンテナに向けて照射されたはずの電磁界がその金属部品に結合してしまうようなことがどうしても起こってしまう。もしもこのようなことが起こってしまうと、アンテナと金属部品との間に電磁結合が生じてしまってその電磁結合により受信データのビット誤り率（ＢＥＲ）が増大してしまう可能性がある。
【０００６】
特許文献１のものでは、外部からの画像データを受信するアンテナと感光ドラムとを離して配設するようにして電磁結合が発生しないようにしており、この特許文献１の技術を利用すればアンテナと金属部品との間に生じる電磁結合を抑制することはできる。
【０００７】
しかし可搬型のプリンタ内部にアンテナが収納されるとなると、そのアンテナの姿を外部からは視認することができなくなってしまうため、今度は、可搬型のプリンタと携帯電話機との双方を各々片手で持ってプリントを行なおうとしたときに、可搬型のプリンタ内部に配備されているアンテナがその把持した手により覆われたことによりアンテナが本来持っている性能が損なわれて受信データのビット誤り率（ＢＥＲ）が増大してしまう可能性が出てくる。
【特許文献１】特開平６−３３４８０６号公報
【発明の開示】
【発明が解決しようとする課題】
【０００８】
本発明は、上記事情に鑑み、可搬型のプリンタである可搬型画像記録装置の内部に無線通信用のアンテナを配備したとしても、アンテナが本来持つ特性がそのまま発揮される可搬型画像記録装置を提供することを目的とする。
【課題を解決するための手段】
【０００９】
上記目的を達成する本発明の可搬型画像記録装置は、露光され現像剤の展開を受けることにより画像が記録される画像記録部とその画像記録部よりも搬送方向前端側に設けられた現像剤溜りとを有するインスタントフィルムシートが、記録媒体が装填され装填された記録媒体への画像記録およびその記録媒体の外部への排出を行なう可搬型画像記録装置において、
この可搬型記録装置を手で把持するためのグリップ部と、
上記グリップ部を把持した手による覆いを免れた位置に内蔵され、画像データを受信する内蔵アンテナと、
装填された記録媒体上に内蔵アンテナで受信された受信データに基づく画像を記録する画像記録部と備えたことを特徴とする。
【００１０】
上記本発明の可搬型画像記録装置によれば、上記グリップ部を把持した手による覆いを免れた位置に内蔵アンテナが内蔵されるため、その内蔵アンテナが手で覆われることがなく正しい画像データが受信される。その結果、上記可搬型画像記録装置内部に無線通信用のアンテナを配備したとしても、アンテナが本来持つ特性がそのまま発揮される可搬型画像記録装置が実現される。
【００１１】
ここで、電池が装填される電池室を備え、この可搬型画像記録装置は、その電池室に装填された電池からの電力供給を受けて動作するものであって、
上記電池室が、上記グリップ部に設けられたものであることが好ましい。
【００１２】
上記電池室を上記グリップ部に設けることで、そのグリップ部を設けたところにうまく電池を収納することができる。このため、アンテナを内蔵したことに加えて、上記グリップ部を電池の形状を利用したスタイリッシュなものにすることができるようになる。
【００１３】
また、装填された記録媒体を搬送する搬送ローラを上記内蔵アンテナとは離間した位置に備えた態様であることが好ましい。
【００１４】
そうすると、上記内蔵アンテナの配設位置と上記搬送ローラの配設位置とが離れているため、画像データが送信されてくるときに上記内蔵アンテナに向けて照射される電磁界が搬送ローラに結合する率が非常に低くなる。
【００１５】
さらに、上記記録媒体は、露光され現像剤の展開を受けることにより画像が記録される記録部とその記録部よりも搬送方向前端側に設けられた現像剤溜りとを有するインスタントフィルムシートであって、
上記現像剤溜まりを押し潰して現像剤を上記画像記録部に展開する現像ローラを、上記内蔵アンテナとは離間した位置に備えた態様であることが好ましい。
【００１６】
そうすると、インスタントフィルムシートを記録媒体として用いる可搬型画像記録装置にＢｌｕｅｔｏｏｔｈインターフェースなどを配備することができる。
【発明の効果】
【００１７】
以上、説明したように、可搬型画像記録装置内部に無線通信用のアンテナを配備したとしても、アンテナが本来持つ特性がそのまま発揮される可搬型画像記録装置が実現される。
【発明を実施するための最良の形態】
【００１８】
以下図面を参照して本発明の実施の形態を説明する。
【００１９】
図１は本発明の一実施形態である可搬型画像記録装置（以降、プリンタという）を、斜め前方から見た斜視図である。
【００２０】
このプリンタ１は携帯電話などと組み合わされて使用されるものであって、携帯電話から送信されてくる画像データをこのプリンタ１で受信してその画像データに基づく画像の記録をインスタントフィルムシート上に行なうものである。
【００２１】
本実施形態のプリンタの構成を、図１を参照して説明する。
【００２２】
このプリンタ１は可搬型であって携帯電話機とこのプリンタ１双方を手に持って画像の記録を行なうことが可能な程度の小型かつ軽量の構造を有するものである。このプリンタ１の筐体１ａ内にインスタントフィルムパックが装填され、そのインスタントフィルムパック内の、積層された多数のインスタントフィルムシート一枚一枚に画像の記録が行なわれる。
【００２３】
プリンタ１の筐体１ａの上面には、このプリンタ１の電源の投入および遮断を指示する電源スイッチ（以下電源ＳＷという）１１やプリントスイッチ（以下プリントＳＷという）１２やプリントデータ補正スイッチ（以下プリントデータ補正ＳＷという）１３が設けられている。また、中央には、ＬＣＤパネル１４が設けられており、このＬＣＤパネル１４上にインスタンフィルムシートの残り枚数やプリントデータ補正ＳＷ１３の内容が表示される。
【００２４】
また本実施形態のプリンタには、赤外線（例えばＩｒｄａインターフェース）か、２．４ＧＨｚ帯のマイクロ波（例えばＢｌｕｅｔｏｏｔｈインターフェース）かのいずれかにより画像データが無線で送信されてきた場合に、その送信されてきた画像データを受信することができるように受光素子１５と内蔵アンテナ１５ａが設けられている。受光素子は携帯電話機をこのプリンタ１に対向させ易い位置、ここでは筐体１ａの端部側に配備されている。また内蔵アンテナ１５ａは、無指向性であるのでどこに配置されても良いが、インスタントフィルムシート１００１が排出されている側に金属製の現像ローラが設けられているのでその現像ローラとは離間した位置、ここでは受光素子の脇に内蔵アンテナ１５ａが設けられている。なお、この図１には図示してはいないが、このプリンタ１はＵＳＢインターフェースで代表されるようなシリアル通信用の通信ポートも持っている。
【００２５】
プリントＳＷ１２は、記録媒体であるインスタントフィルムシートへの画像の記録が終了した後、その記録が終了した画像と同じ画像をインスタントフィルムシート上に再記録する場合に操作されるものであり、プリントデータ補正ＳＷ１３は、インスタントフィルムシート上に記録される画像の濃淡（Ｄａｒｋｅｎ  ｏｒ  Ｌｉｇｈｔｅｎ）を調節するためのものである。このプリントデータ補正ＳＷ１３が一回押されるとその画像データに基づく画像の全体のトーンがやや暗くなった画像がインスタントフィルムシート上に記録され、2回押されると全体のトーンがやや明るくなった画像がインスタントフィルムシート上に記録される。このプリントデータ補正ＳＷ１３が操作された後、プリントＳＷ１２が操作されると、同じ構図の写真でありながら異なった趣の写真が得られる。
【００２６】
図２は、携帯電話機２００からマイクロ波通信により画像データが送信されてきてプリンタの排出口からその画像データに基づく画像が記録されたインスタントフィルム１００１が排出されているときの状態を示す図である。
【００２７】
このプリンタ１では、マイクロ波通信（例えばＢｌｕｅｔｏｏｔｈインターフェース）、または赤外線通信（例えばＩｒｄａインターフェース）、またはシリアル通信（例えばＵＳＢインターフェース）により外部から送信されてきた画像データをこのプリンタ１が取得したら、その取得した画像データに基づく潜像の記録が露光によりインスタントフィルムシート１００１上に行なわれ、図２に示すようにその潜像が記録されたインスタントフィルムシート１００１が顕像化されながら、プリンタ１外部へ排出される。その後プリントＳＷ１２が操作されたときにも、その画像と同じ画像の再記録が別のインスタントフィルム上に行なわれ、図２に示すようにインスタントフィルム１００１が排出される。このインスタントフィルムシート１００１は、露光され現像剤の展開を受けることにより画像が記録される記録部１００１＿２とその記録部よりも搬送方向前端側に設けられた現像剤溜り１００１＿１とを有するものである。図２には、現像剤溜り１００１＿１が内部の現像ローラに押しつぶされ現像剤がインスタントフィルムシート１００１の記録部１００１＿２に展開された後の状態が示されている。
【００２８】
また、このプリンタ１には、このプリンタ１を把持するためのグリップ部１０ａが設けられており、そのグリップ部１０ａを把持した手による覆いを免れた位置に画像データを受信する内蔵アンテナ１５ａが内蔵されている。また、インスタントフィルムシート１００１が排出される側には金属材料からなる現像ローラが設けられているので、外部から２．４ＧＨｚ帯のマイクロ波が送信されてきたときにその金属の現像ローラと内蔵アンテナ１５ａとの間に電磁結合が起こらないように、前述したように現像ローラ（図中、インスタントフィルムシートが排出されている側）とは反対の側に内蔵アンテナ１５ａが設けられている。このようにしておくと、図２に示すように各々の手にプリンタ１と携帯電話２００をそれぞれ持ったとしてもプリンタ１内部のアンテナ１５ａを覆う位置を手により把持することがなくなり、また現像ローラとの間の電磁結合がほぼなくなってアンテナ本来の性能が如何なく発揮されるプリンタ１が実現される。
【００２９】
図３は、このプリンタ１を背面斜め後方から見た斜視図である。
【００３０】
このプリンタ１の背面側にはフィルムパック１００を装填するためのフィルムドア１０１ａが設けられており、このフィルムドア１０１ａが開けられ、フィルムパック１００がフィルム装填室１００ａに装填される。また、このプリンタ１の電源となる電池１ｂが装填される電池装填室１０ｂもそのフィルム装填室１００ａの隣にある。その電池装填室１０ｂはグリップ部１０ａの内部側に設けられており、図１に示すようにグリップ部１０ａには持ち易さが考慮され流線形を描くような膨らみがスタイリッシュに設けられている。そのグリップ部１０ａの流線形を描くような膨らみにより形成される内壁に沿って円柱状の電池１ｂが装填されるようになっている。この電池装填室１０ｂにも媒体装填室１００ａと同様にドアが設けられそのドアがグリップ１０ａを形成するようになっている。
【００３１】
フィルムドアの内側１０１ａにはバネ部材１０１１ａ，１０１２ａが２つ設けられており、これらのバネ部材１０１１ａ，１０１２ａによってフィルムパック１００内に積層されたインスタントフィルムシートがプリンタ１上面側（図３の裏面側）に押されるようになっている。このような構成によってそのインスタントフィルムパック１００内のインスタントフィルムシートのうち、プリンタの一番上面側にあるインスタントフィルムシート１００１が排出口１１ａに近い位置にまで押し上げられ、その位置に押し上げられたインスタントフィルムシート上に焦点のあった光点が露光により多数記録される。
【００３２】
このようなプリンタ１の内部構成を説明する。
【００３３】
最後に光学ヘッド１６の構成を、図４を参照して簡単に説明しておく。
【００３４】
図４は光学ヘッドの構成を示す模式図である。
【００３５】
この図４には導光板１６４の端部に配設された発光素子１６３Ｒ，１６３Ｇ，１６３Ｂの配列順序と、インスタントフィルム上に光点となって照射されるＲ、Ｇ、Ｂの光の進行方向が矢印によって模式的に示されている。
【００３６】
図４に示すように、この光学ヘッド１６は光の３原色であるＲ，Ｇ，Ｂそれぞれの発光素子１６３Ｒ，１６３Ｇ，１６３Ｂと、導光板１６４と、前述した液晶シャッタアレイ１６５と、レンズ１６６とからなる。
【００３７】
図４に示すように、３原色の発光素子１６３Ｒ，１６３Ｇ，１６３Ｂそれぞれが導光板１６４の端部に配設されており、それらの発光素子で発光された光がその導光板１６４によってインスタントフィルム１００１側に導かれる。このインスタントフィルムシート１００１側に導かれた光の進路が導光板１６４によって変更され、インスタントフィルムシート１００１上に照射される。この照射された光は液晶シャッタアレイ１６５の各シャッタを通り、その先にあるセルフォックレンズ（登録商標）１６６を通ってインスタンフィルム１００１まで達する。このように液晶シャッタアレイ１６５の各シャッタによって光量が調節された光が、セルフォックレンズによってインスタントフィルム上に収束されて焦点のあった光点がインスタントフィルム上に多数記録される。ここでは４８０素子の液晶シャッタアレイを用いて画像データに応じて各シャッタのシャッタスピードを制御することで画像データに応じた階調を持つ４８０の光点がインスタントフィルム上に記録される。これが副走査方向にも６４０ライン分記録され、４８０×６４０（ＶＧＡサイズ）の光点がインスタントフィルム上に潜像として記録される。この潜像は、Ｒ，Ｇ，Ｂの３色の光をレンズ１６６によって同一の光点に記録させたカラー画像を表わす潜像である。
【００３８】
これら光学ヘッド１６、現像ローラ１７ｂ、ステッピングモータ１６２ａを駆動する構成ブロック図５を参照して、動作を説明する。
【００３９】
図５は、このプリンタの内部構成を示す図である。
【００４０】
図５に示すように、制御ＣＰＵ１８０にはこのプリンタ１の電源がオフされていてもこのプリンタ１の制御が行なえるように、電池１ｂから電力が直接供給されている。このようにしておくと、制御ＣＰＵ１８０のみを動作状態にしておくことができ、少ない電力消費で電源スイッチの操作状況を監視することができる。さらに本実施形態のプリンタでは、プリンタの電力の消費を抑制するため、画像処理部１８２、ステッピングモータ１６２１ａ、印刷処理部１８３、揮発性メモリであるＲＡＭ１８４、不揮発性メモリであるＦＬＡＳＨＭＥＭＯＲＹ１８５、画像処理部１８２内の外部ＩＦ１８２１への電力供給を個別に行なうことができるように、オン／オフ自在な出力端子を多数備える電源部１８１を設けてその電源部から各部に電力の供給を行う構成が採用されている。このような構成にしておくとＣＰＵ１８０が動作に必要なところにのみ電力を供給するようにその電源部１８１に指示を出し、必要な出力端子のみをオン状態にすることができるため、電力の消費を極力抑制することができる。
【００４１】
図５にはこのような電力の消費を抑制する構成をより分かりやすく示すため、電池１ｂから電力が直接供給されるのを示す電源線、および電池１ｂから電源部１８１を介して電力が供給されるのを示す電源線がそれぞれ太線で示されている。また、点線で制御線と検出線もそれぞれ示されている。
【００４２】
このような電力の消費が抑制される構成が採用されたプリンタが備えるＣＰＵ１８０には図１に示した各種スイッチ類１０が接続されており、これらの各種スイッチ類１０の操作状態に応じた処理がＣＰＵ１８０により行なわれる。ただし、この各種スイッチのうち、電源ＳＷ１１が投入された後、マイクロ波通信、または赤外線通信またはシリアル通信により画像データが外部から送られてきてこのプリンタが画像データを取得したときにはスイッチの操作状態に拠らず無条件に画像の記録がＣＰＵ１８０の制御の基に行なわれる。
【００４３】
このＣＰＵ１８０には、光学ヘッド１６の温度を検出する温度センサ１８０Ａと、光学ヘッド１６の記録開始位置を検出する原点センサ１８０Ｂと、光学ヘッド１６の終端位置を検出する終端センサ１８０Ｃからの検出信号が供給されており、ＣＰＵ１８０では温度センサ１８０Ａからの検出信号に応じて光学ヘッド１７内の各シャッタのシャッタスピードを印刷制御部１８３に制御させるとともに、光学ヘッド１７を副走査方向に移動させるときの移動開始位置と、終端位置とをそれぞれ原点センサと終端センサにより検出して、印刷制御部１８３にステッピングモータ１６２ａを制御させている。
【００４４】
このため電源ＳＷ１１が投入された後、外部から画像データがマイクロ波または赤外線を用いて送信されてきたときには、画像処理部１８２からの通知を受けて制御ＣＰＵ１８０が画像処理部１８２にその画像データを受信させてその画像データに基づく画像の好適な記録（潜像の記録）を印刷制御部１８３に行なわせることができる。
【００４５】
ここで、電源ＳＷが投入された後、外部からマイクロ波、または赤外線を用いて画像データが送信されてきたときにＣＰＵ１８０がどのような動作を各部に行わせるかを説明する。
【００４６】
まず、マイクロ波通信により外部からこのプリンタ１にマイクロ波通信要求を表す信号が送信されきたときに外部Ｉ／Ｆ１８２１を有する画像処理部１８２が内蔵アンテナ１５ａおよび外部Ｉ／Ｆを通してそのマイクロ波通信要求を表す信号を受信した場合には、ＣＰＵ１８０にマイクロ波送信の要求を表す信号が送信されてきたことを通知する。ＣＰＵ１８０はこの通知を受けてマイクロ波通信プロセスを起動して画像処理部１８２にＲＡＭ１８４とＦＬＡＳＨＭＥＭＯＲＹ１８５双方の画像データの消去を行なわせる。さらに、画像処理部１８２に新たな画像データの受信を行なわせて新たに受信した画像データを、バスを介してＲＡＭ１８４に記憶させる。
【００４７】
このようにしてＣＰＵ１８０が画像処理部１８２に外部からの画像データを取得させたら、今度はそのＲＡＭ１８４に格納されている画像データを画像処理部１８２に読み出させ、その画像処理部１８２にプリントデータを生成させる。なお、このプリントデータとは画像処理部で適当な処理を施し、光学ヘッド１７の各シャッタのシャッタスピードを制御することができるようになったデータを指しており、上記画像取得部により取得された画像データとは異なる。以降の説明においては、双方のデータを区別するため、プリントデータに対し、上記画像取得部により取得され、ＲＡＭ１８４に格納された画像データをプリント前データと呼ぶ。
【００４８】
ＣＰＵ１８０は、このプリントデータを画像処理部１８２に生成させたら、画像処理部１８２にそのプリントデータの転送を行なわせ、印刷制御部１８３に各シャッタのシャッタスピードの制御を行なわせる。そうすると、そのプリントデータに応じて、主走査方向に配列されている各シャッタの開口時間つまりシャッタスピードが制御され、各シャッタを通過するＲ，Ｇ，Ｂ３色の光量がそれぞれ調節される。さらに印刷制御部１８３に、ステッピングモータドライバ１６２１ａを制御させ、ステッピングモータ１６２ａにより光学ヘッド１６を副走査方向に走査させ、その走査の度にプリントデータに応じて各シャッタのシャッタスピードを、印刷制御部１８３に制御させ、副走査方向の各光点の光量をそれぞれ調節させる。このようにしてすべての光点の光量を調節させ、それらの光点の集まりからなる画像を表わす潜像をインスタントフィルム上に記録させる。この画像記録部によってインスタントフィルムシート上に潜像を記録させた後、ＣＰＵ１８０は電源部１８１の出力をオフさせ、展開モータドライバ１７ａにより展開モータ１７を駆動させる。
【００４９】
この展開モータ１７により現像ローラ１７ｂを回転させ、インスタントフィルムシート１００１の現像溜まりを押し潰すようにして挟み込ませながら、現像剤をインスタントフィルムシート１００１の記録部１００１＿２に展開させ、潜像を顕像化させてインスタントフィルムシートをプリンタ外部へと排出させる。
【００５０】
この印刷処理部１８３と光学ヘッド１７とステッピングモータ１６２ａとステッピングモータドライバ１６２１ａと展開モーター１７と展開モータドライバ１７ａと現像ローラ１７ｂとが本発明にいう画像記録部に当たる。
【００５１】
また、赤外線通信によりこのプリンタ１に赤外線通信要求を表す信号が送信されきたときに外部Ｉ／Ｆ１８２１を有する画像処理部１８２が受光素子１５および外部Ｉ／Ｆ１８２１を通してその赤外線通信要求を表す信号を受信した場合には、ＣＰＵ１８０はこの通知を受けて赤外線通信プロセスを起動してマイクロ波通信プロセスと同様の処理を各部に行なわせる。
【００５２】
さらに、このプリンタ１のシリアルポート（不図示）にシリアルケーブルが接続されてシリアル通信要求を表す信号がこのプリンタ１の外部Ｉ／Ｆ１８２１を通して画像処理部に送信されてきたときに外部Ｉ／Ｆ１８２１を通して画像処理部１８２がそのシリアル通信要求を表す信号を受信した場合には、ＣＰＵ１８０はこの通知を受けてシリアル通信プロセスを起動してマイクロ波通信プロセスと同様の処理を各部に行なわせる。
【００５３】
以上が、電源ＳＷ１１により電源が投入された後、マイクロ波通信、または赤外線通信、またはシリアル通信により画像データが送られてきたときにＣＰＵ１８０が各部に行なわせる処理である。
【００５４】
次に、プリントＳＷ１２が操作されたときにＣＰＵ１８０が各部に行なわせる処理を説明する。
【００５５】
プリントＳＷ１２が操作されたことを受けて、ＣＰＵ１８０は画像処理部１８２にＲＡＭ１８４に格納されている画像データの読み出しを行なわせる。この読み出した画像データに基づいて画像処理部１８２にプリントデータを生成させ、印刷処理部１８３へ転送させる。印刷処理部１８３ではそのプリントデータに基づき、光学ヘッド１７の各シャッタを制御してインスタントフィルム上に照射される光量をそれぞれ調節させる。この各光点の光量をそれぞれ調節させることによってインスタントフィルム上に画像データに応じた光量が照射され、画像データに応じた潜像が記録される。
【００５６】
ＣＰＵ１８０は、この潜像の記録が終了したことを終端センサ１８０Ｃの検出信号の変化により検出して、ＣＰＵ１８０から電源部１８１に電源部１８１の出力をオフさせる指示を出すとともに、展開モードドライバ１７ａに展開モータ１７の駆動指示を出す。
【００５７】
展開モータ１７によりインスタントフィルムを現像ローラ側に送り出させるための爪（図示せず）を駆動させ、インスタントフィルムシートを現像ローラ１７ｂ側に送り出させ、さらに現像ローラ１７ｂにインスタントフィルムシートを挟持させ、インスタントフィルムシート１００１をプリンタ外部へと排出させる。この現像ローラに挟持させることにより、インスタントフィルムの現像溜り１００１＿１に充填されていた現像剤を押し潰してインスタントフィルム１００１の記録部１００１＿２に展開させ潜像を顕像化させる。
【００５８】
このようにしてプリントＳＷ１２が操作されたときには、ＲＡＭ１８４内に格納されている画像データに基づく画像がインスタントフィルムシート上に記録される。
【００５９】
また、このプリントＳＷの操作は電源が遮断され再度電源が投入された後において行われることもあるので、本実施形態のプリンタでは、画像データの退避、復帰という処理が行なえるように不揮発性メモリが配備されている。
【００６０】
そこでこの不揮発性メモリを使用して、電源ＳＷ１１により電源が遮断されたとき、あるいは本実施形態のプリンタが有するオートパワーオフ機能が働いたときには、ＲＡＭ１８４内の画像データの不揮発メモリへの転送を画像処理部１８２に行なわせ、ＲＡＭ１８４にあった画像データの退避を行なわせている。
【００６１】
また、電源ＳＷ１１が再投入されたときに、画像処理部１８２にその不揮発性のＦＬＡＳＨＭＥＭＯＲＹ１８５に格納されている画像データの転送を行なわせ、そのＦＬＡＳＨＭＥＭＯＲＹ１８５内にあった画像データをＲＡＭ１８４に復帰させている。
【００６２】
さらに、一度画像の記録を行なってから、時間があまり経過しすぎると、画像データが古くなりすぎ、ユーザが誤ってプリントＳＷ１２を操作してしまった場合に不要な画像が記録されてしまうことも予想される。このようなことが起こると、インスタントフィルムシートが無駄遣いされてしまうので、ＣＰＵ１８０は、タイマにより所定時間経過した後は、印刷処理部に記録処理を行なわせないようにしている。ここでは、再記録禁止部の処理として、ＲＡＭ１８４とＦＬＡＳＨＭＥＭＯＲＹ１８５双方の画像データを残して、表示により記録すべき画像がないということをユーザに知らせている。なお、ＣＰＵ内のタイマにより所定時間を計時しているので、その計時された時間を判定基準にして揮発性メモリ、不揮発性メモリ内の画像データをＣＰＵ１８０と画像処理部１８２とからなる画像データ消去部に消去させ、画像ＥＭＰＴＹをＬＣＤパネル上に表示させても良い。
【００６３】
最後にいままで説明したきた制御ＣＰＵ１８０の処理を整理して図６〜図１６のフローチャートを参照しながら説明する。
【００６４】
図６は、ＣＰＵ１８０が行なう処理の手順を示すフローチャートである。
【００６５】
図６にはメインプロセスが示されている。
【００６６】
図７から図１６にはメインプロセスの各ステップの処理の詳細が示されている。
【００６７】
まず、図６を参照してＣＰＵ１８０で行なわれるメインルーチンの処理を説明する。
【００６８】
電池１ｂが投入されたら、まずステップＳ６０１で各部の初期設定を行なう。この初期設定によってＣＰＵ１８０に供給されるクロックの発振周波数の設定を行なう。このＣＰＵ１８０は、低消費電力モードを有しており、この低消費電力モードのときには遅いクロックで動作する。次のステップＳ６０２でＦＬＡＳＨＭＥＭＯＲＹ１８５内の画像データの削除を行なう。ここでは例えば出荷前の検査用の画像データがＦＬＡＳＨＭＥＭＯＲＹ１８５内に残っていると困るので画像処理部に画像データの消去を行なわせている。
【００６９】
ステップＳ６０３で、電源ＳＷ１１が投入されるのを待ち受け、電源ＳＷ１３が投入されたら、ステップＳ６０４で電源ＯＮ処理を行なう。この電源ＯＮ処理ではＬＣＤパネル上にメニューを表示したり、クロックのスピードを速めてＣＰＵ１８０の処理速度を上げることを行なう。
【００７０】
次のステップＳ６０５で、ＣＰＵ１８０側に入力される信号の状態が遷移するのを待ち受ける待ち受け状態に移行する。
【００７１】
ここでは、ＣＰＵ１８０が、このＣＰＵ１８０に入力される状態の遷移を監視する項目として、プリントＳＷ１２、あるいはプリントデータ補正ＳＷ１３が操作され、ＯＮ側に切り換えられること、画像データが外部ＩＦ１８２１で受信され受信信号が検出されること、電源ＳＷ１１がオフ側に切り換えられること、本実施形態のプリンタが有するオートパワーオフ機能が働くことを掲げている。
【００７２】
ＣＰＵ１８０は、これらの入力の状態のいずれかが遷移したと判定したら、その遷移した状態に対応する処理を各部に行なわせる。
【００７３】
まずステップＳ６０６で、プリントデータ補正ＳＷがＯＮ側に操作されたことを受けて、画像処理部内のプリントデータ補正ＳＷ処理プロセスを起動し、プリントデータ補正ＳＷの操作内容に応じた画像データの補正係数を画像データに設定させ、また待ち受け状態に戻る。
【００７４】
この待ち受け状態にあるときに携帯電話から赤外線通信要求が送信されてきた場合には、受光素子１５および外部ＩＦ１８２１を介してその赤外線通信要求を画像処理部が受信したことを受けて、ステップＳ６０７で画像処理部１８２内の赤外線通信プロセスを起動し、画像処理部１８２に画像データを取得させる。この画像処理部に画像データを取得させたら、ステップＳ６１３からステップＳ６１５で各処理を各部に行なわせてインスタントフィルムシートを外部へと排出させる。
【００７５】
また、ステップＳ６０７１で携帯電話からマイクロ波通信要求を表す信号が送信されてきた場合には、アンテナ１５ａさらに画像処理部内の外部ＩＦ１８２１を介して画像処理部１８２がマイクロ波通信要求を受信したことを受けて、ステップＳ６０７で画像処理部１８２内のマイクロ波通信プロセスを起動し、画像処理部１８２に画像データを取得させる。この画像処理部１８２に画像データを取得させたら、ステップＳ６１３からステップＳ６１５で各処理を各部に行なわせてインスタントフィルムシートを外部へと排出させる。ステップＳ６０８でシリアル通信により画像データを取得したときにもこのステップＳ６０７と同様の処理が行なわれる。
【００７６】
次に、プリントＳＷ１２が操作されＯＮ側に切り換えられた場合には、ステップＳ６０９でＣＰＵ内のタイマ値を参照してタイムオーバだったら、ステップＳ６０５の待ち受け状態に戻る。またタイマ値を参照して所定の時間以内だったら、ステップＳ６１０へ移行しプリントデータＲＡＭ展開処理を行なって、ＲＡＭに画像データを復帰させ、画像データに基づく画像の記録処理をステップＳ６１３からステップＳ６１５で行なわせる。この実施形態では、このプリントＳＷ１２が操作されＯＮ側に切り換えられたことを出力操作指示として、出力指示取得部であるＣＰＵ１８０にその出力操作指示を受けさせ、画像の記録処理を行なわせている。
【００７７】
さらに、電源ＳＷ１１がｏｆｆ側に切り替えらるか、またはオートパワー機能が働いた場合には、ＣＰＵ１８０内の電源ｏｆｆ処理プロセスを起動し、ＣＰＵ内１８０のタイマ値を参照して、そのタイマ値が所定の時間以内であることを検知したら、上記画像転送部に当たる画像処理部１８２にＲＡＭ１８４に格納されている画像データの転送を行なわせ、ＦＬＡＳＨＭＥＭＯＲＹ１８５に画像データを退避させる。その後、各部の電源ｏｆｆ処理を行なって、メインルーチンへ戻る。
【００７８】
この実施形態では、この電源ＳＷ１１がｏｆｆ側に切り換えられるか、またはオートパワーオフ機能が働いたことを電源の遮断指示としてＣＰＵ１８０にその電源の遮断指示を受けさせ、その遮断指示に応じて遮断処理を行なわせている。
【００７９】
ここでＣＰＵの監視項目であるいずれかの状態の遷移が起こったときに起動される各プロセスを詳細に説明する。
【００８０】
図７はＣＰＵ１８０が行なう待ち受け処理の詳細を示すフローチャートである。
【００８１】
このフローは繰り返し実行されており、いずれかの状態が変化したらその状態に対応するいずれかのプロセスが起動される。
【００８２】
まず、ステップＳ７０１で、マイクロ波通信、赤外線通信、シリアル通信により画像データが送信されてきたかどうかの待ち受けを行なうに当たり、外部ＩＦをＯＮさせる。
【００８３】
ステップＳ７０２からステップＳ７０７で、図７のフローチャートのステップＳ６０５からステップＳ６１０に対応する待ちうけ制御を行なう。
【００８４】
ステップＳ７０２で上記監視項目の１つとして掲げたプリントＳＷ１１のＯＮ側への遷移が検出される。このステップＳ７０２でプリントＳＷ１１の操作が検出されたら、ステップＳ７０８へ進み、タイマ値を判定する。このタイマは図７のステップＳ６１３でプリント前処理プロセスが起動されインスタントフィルムの排出が完了した後スタートするものであって、このタイマ値が所定の時間以上になってタイムオーバになっていたらステップＳ７０２へ戻る。このステップＳ７０２で所定の時間以内であることを検知したら、ステップＳ７０９でＲＡＭ展開処理プロセスにジャンプしてＲＡＭ展開処理プロセスを起動する。前述したようにプリントＳＷが操作されたときには、画像の再記録が行なわれるので、時間が経過している場合にはそのプリントＳＷの操作が誤操作である可能性もある。そこで、ステップＳ７０８でタイマ値を検出してから、プリントデータＲＡＭ展開処理へ進めている。ここでは、このタイマの判定結果に応じて、待ち受け状態に戻して、ＲＡＭの展開処理を画像処理部に行なわせずに再記録を禁止している。なお、この判定結果に基づいて、図７のステップＳ６０２へ戻り、ＦＬＡＳＨＭＥＭＯＲＹ、ＲＡＭ内の画像データを消去する部分に戻り、待ち受け状態にスキップさせても良い。
【００８５】
次のステップＳ７０３でプリントデータ補正ＳＷが操作されＯＮ側に切替られたことを検出したら、ステップＳ７１０のプリントデータ補正ＳＷ処理プロセスへジャンプして画像処理部１８２内のプリントデータ補正ＳＷ処理プロセスを起動する。前述したようにプリントデータ補正ＳＷ１３は、画像の濃淡を調節するものであるので、このプリントデータ補正ＳＷ１３が操作されたら、プリントデータ補正ＳＷプロセスを起動して、画像処理部１８２に画像データを補正するための補正係数の設定を行なわせる。
【００８６】
次のステップＳ７０４で外部ＩＦからの検出信号に基づいて赤外線通信が要求されていることをＣＰＵ１８０が検出したら、ステップＳ７１１で赤外通信処理プロセスへジャンプして赤外線通信処理プロセスを起動する。例えば携帯電話からプリンタの受光部１５に向かって赤外線により画像データが送信されると、受光素子１５を経由して画像処理部１８２内の外部ＩＦ１８２１に画像データが供給され、この外部ＩＦから受信有という検出信号が出力される。そこでこの検出信号を以って赤外線通信要求として赤外通信処理プロセスを起動する。
【００８７】
次のステップＳ７０４１もステップＳ７０４と同様でマイクロ波通信によってマイクロ波送信要求を表す信号が送信されてきたことをアンテナ、さらに外部ＩＦで受け、さらにマイクロ波通信要求を示す信号がその外部ＩＦを有する画像処理部１８２からＣＰＵに転送されてきたらＣＰＵはシリアル通信処理プロセスを起動して画像処理部１８２内の外部ＩＦ１８２１により画像データを受信させる。
【００８８】
次のステップＳ７０５もステップＳ７０４と同様でシリアル通信によって画像データが送信されてきたことを外部ＩＦで受け、さらにシリアル通信要求を示す信号がその外部ＩＦを有する画像処理部１８２からＣＰＵに転送されてきたらＣＰＵはシリアル通信処理プロセスを起動して画像処理部１８２内の外部ＩＦ１８２１により画像データを受信させる。
【００８９】
上記ステップＳ７０４とステップＳ７０４１とステップＳ７０５で画像データを取得させた場合には、プリンタＳＷの操作を待たずに、すぐに画像記録部によりインスタントフィルム上に潜像が記録され、現像ローラによりインスタントフィルムを展開させながら顕像化されたインスタントフィルムをこのプリンタ外部へと排出させる。
【００９０】
またステップＳ７０６では、電源ＳＷ１１がオフに切り換えられたことを以って、ステップＳ７１４でＣＰＵ１８０内の電源ｏｆｆ処理プロセスを起動する。
【００９１】
またステップＳ７０７ではタイマによりタイムアウトが検知されオートパワーオフ機能が働いたことを以ってステップＳ７１５でオートｏｆｆ処理プロセスを起動する。
【００９２】
このように、いずれかの入力状態が変化したら、いずれかのプロセスが起動される。
【００９３】
ここで図７の各ステップＳ７０９〜Ｓ７１５の処理の詳細を説明する。
【００９４】
図８は図７のステップＳ７０９の処理手順を示すフローチャートである。
【００９５】
まず、プリントＳＷが操作され、タイマ値が所定の時間以内であったら、ステップＳ８０１で赤外線通信、マイクロ波通信、シリアル通信の送受信部を有する外部ＩＦの電源をｏｆｆして新規の画像データの受付を拒否する。
【００９６】
ステップＳ８０２でＲＡＭ上にプリントデータがあるかどうかを画像処理部１８２に判定させ、ＲＡＭ１８４に画像データがあったらＹｅｓ側に進み、メインルーチンに戻って記録処理へ進む。このステップＳ８０２でＲＡＭ１８４上に画像データがなかったらＮｏ側に進み、画像処理部１８２にＦＬＡＳＨＭＥＭＯＲＹ１８５からＲＡＭ１８４上への画像データの転送を行なわせる。この画像データの中にはプリントデータ補正ＳＷ１３の操作内容も書き込まれているので、次のステップＳ８０４で、その画像データの中からプリントデータ補正ＳＷ１３の操作内容をＣＰＵ１８０が受け取り、ＬＣＤパネル１４上にその情報を表示する。そしてメインプロセスに戻り、記録処理へと進む。
【００９７】
図９は、図７のステップＳ７１０の処理手順を示すフローチャートである。
【００９８】
このステップの処理は画像処理部内の画像処理プロセスの中で行なわれる。
【００９９】
プリント補正ＳＷ１３がＯＮ側に切り換えられたことをＣＰＵ１８０で検出して、その検出した内容を画像処理部１８２に伝えて画像処理部１８２にプリントデータ補正用の内部係数を設定させる。このプリントデータ補正ＳＷ１３は通常ＮＯＲＭＡＬ状態にあるものが、１回押されるとＤＡＲＫＥＮ（暗いトーン）、もう１回押されるとＬＩＧＨＴＥＮ(明るいトーン)、さらにもう１回押されるとまたＮＯＲＭＡＬに戻るといったようにトグル動作を行なう。そこでＣＰＵ１８０ではこのトグル操作の操作内容を判読して、画像処理部１８２にその内容を伝え、ステップＳ９０１で内部係数を変更させ画像データに設定させるとともに、次のステップＳ９０２でＬＣＤパネル１４上にプリントデータ補正ＳＷ１３の操作内容（Ｎ→Ｄ→Ｌなど）を表示する。このプロセスの処理を終了してメインプロセスに戻る。
【０１００】
図１０は、赤外線通信処理プロセスを示すフローチャートである。
【０１０１】
内蔵アンテナ１５ａおよび外部ＩＦを通して赤外線通信要求があった場合、古い画像データが必要なくなるので、ステップＳ１００１でＦＬＡＳＨＭＥＭＯＲＹ１８５とＲＡＭ１８４に古い画像データがあったら画像処理部１８２にその古い画像データを消去させる。つまり画像データ取得部により外部からの新たな画像データの取得が開始されたことを受けて、不揮発性メモリであるＦＬＡＳＨＭＥＭＯＲＹ１８５に格納されている画像データと、揮発性メモリであるＲＡＭ１８４に格納されている画像データとの双方をＣＰＵ１８０と画像処理部１８２によって消去する。次のステップＳ１００２で携帯電話機とプリントＳＷの間でマイクロ波通信を行うに当たり、外部ＩＦとアンテナとを用いて携帯電話機と必要な情報交換を行なわせ、マイクロ波通信が行なえるように通信速度などの通信条件を交渉させ、この交渉が締結したらネゴシエーションが確立したとして次のステップＳ１００３で通信速度の変更を外部ＩＦ１８２１に行なわせる。次のステップＳ１００４で画像処理部１８２に画像データの受信を行なわせその受信した画像データをＲＡＭ１８４に書き込ませる。
【０１０２】
ステップＳ１００５で画像データを最後まで受信してＲＡＭ１８４に書き込ませたかどうかを判定し、途中だったらＮｏ側へ進み、最後まで画像データの受信を外部ＩＦ１８２１に行なわせ、画像データを最後まで受信してＲＡＭ１８４に画像データを書き込ませたら、ステップＳ１００５でＹｅｓ側に進み、電源部１８１の出力のうち、外部ＩＦ１８２１への電力供給をオフさせ、メインプロセスに戻る。ステップＳ１００５で画像処理部１８２のプロセスでデータの受信に失敗したことがＣＰＵ１８０側に出力されたら、ＣＰＵ１８０はこのプロセスを直ちに終了させ、メインプロセスへ戻る。このステップＳ１００６でデータの受信に成功したことがＣＰＵ側に出力されたら、赤外線通信回路、シリアル通信回路、マイクロ波通信回路をオフしてこのフローの処理を終了する。
【０１０３】
図１１は、マイクロ波通信処理プロセスを示すフローチャートである。
【０１０４】
マイクロ波通信により画像データが送信されてきたときには図１１のフローにしたがって図１０に示した赤外線通信の処理と同様の処理を行なう。
【０１０５】
図１２は、シリアル通信処理プロセスのフローチャートである。
【０１０６】
シリアル通信により画像データが送信されてきたときにも図１２のフローにしたがって図１０に示した赤外線通信の処理と同様の処理を行なう。
【０１０７】
図１３は電源ｏｆｆおよびオートｏｆｆ処理プロセスのフローチャートである。このプロセスも、ＣＰＵ１８０と画像処理部１８２とからなる画像転送部が行なうものである。
【０１０８】
まず、ステップＳ１３０１で、１つ前の画像の記録が行なわれたときに起動されたタイマ値を参照する。ここでタイムアウトだったら、ＲＡＭ１８４の画像データをＦＬＡＳＨＭＥＭＯＲＹ１８５へ退避させずにステップＳ１３０７でＦＬＡＳＨＭＥＭＯＲＹ１８５の画像データを消去し、ステップＳ１３０３へ移行する。またステップＳ１３０１でタイマ値が所定の時間以内であったら、ステップＳ１３０２へ移行し、ステップＳ１３０２でＦＬＡＳＨＭＥＭＯＲＹ１８５への画像データの転送を画像処理部１８２に行なわせ、画像データを退避させる。こうしておくと、所定の時間以内であれば電源ＳＷ１１が再投入されたときに画像の再記録をすぐに行なえる。また古い画像データを電源の遮断処理時に消去することもできる。
【０１０９】
ここではＦＬＡＳＨＭＥＭＯＲＹ１８５の容量をなるべく小さくしたいので、プリント前データをＦＬＡＳＨＭＥＭＯＲＹ１８５に退避させているが、ＦＬＡＳＨＭＥＭＯＲＹ１８５の容量が充分にあれば、画像処理後のプリントデータをＦＬＡＳＨＭＥＭＯＲＹ１８５に退避させても良い。画像処理後のプリントデータを退避させておくと、ＲＡＭ１８４に復帰させるべく画像データをＦＬＡＳＨＭＥＭＯＲＹからＲＡＭに転送した後、ステップＳ６０９のプリント前処理プロセスが省かれ、プリント処理プロセスをいち早く起動させることができる。
【０１１０】
次のステップＳ１３０３で画像処理部１８２内の外部ＩＦ１８２１への電力供給を電源部１８１に停止させ、赤外線通信機能とシリアル通信機能とマイクロ波通信機能をオフさせる。さらにステップＳ１３０４で電源部１８１に画像処理部１８２への電力供給も停止をオフさせる。
【０１１１】
次のステップＳ１３０５でＬＣＤパネルを消灯させ、ステップＳ１３０６でＣＰＵを低消費電力モードにしてメインルーチンに戻る。
【０１１２】
次に、マイクロ波通信処理プロセス、赤外通信処理プロセス、シリアル通信処理プロセス、ＲＡＭ展開処理プロセスのいずれかが起動されたときには、図６のフローチャートのステップＳ６１３からＳ６１５までの処理が行なわれるので、図６のステップＳ６１３、Ｓ６１４、Ｓ６１５の処理の詳細を説明する。
【０１１３】
図１４はステップＳ６１３のプリント前処理プロセスのフローチャート、図１５はステップＳ６１４のプリントデータ処理のフローチャート、図１６はステップＳ６１５のフィルム排出処理のフローチャートである。
【０１１４】
まず画像処理部が行なうプリント前処理を、図１４を用いて説明する。
【０１１５】
携帯電話から送信され、受信したデータがどのような画像データであるかが分からないので、このフローではこのプリンタで画像の記録を行なうために必要な処理を行なう。
【０１１６】
ステップＳ１４０１で非圧縮データであるかどうかを判定する。ここで非圧縮データであれば画像データの伸張を行なう必要がないので、Ｙｅｓ側に進み、次のステップＳ１４０２へ移行する。ここで画像データが圧縮データであったらＮｏ側に進みステップＳ１４０３で圧縮データの伸張処理を画像処理部に行なわせる。次のステップＳ１４０２で、このプリンタ１での画像の記録に適した解像度であるかどうかを判定する。このプリンタ１に適した解像度である場合（例えば４８０×６４０のＶＧＡサイズである場合）には、Ｙｅｓ側に進み、次のステップＳ１４０５へと移行する。このプリンタ１に適した解像度でない場合（例えば縦横比が異なる場合）にはＮｏ側に進み、ステップＳ１４０４で解像度の変換を画像処理部に行なわせる。次のステップＳ１４０５でプリントデータ補正ＳＷが操作されていないかどうかを判定する。この画像データにプリントデータ補正ＳＷが操作されていない場合には、Ｙｅｓ側に進み、次のステップＳ１４０７へと移行する。ここでプリントデータ補正ＳＷにより画像データに補正が施されている場合には、次のステップＳ１４０８でプリントデータ補正処理を行なう。図１には、輝度データＹにオフセット調整（±Ａ）を行なった場合の変換例が数式で示されている。
【０１１７】
そして次のステップＳ１４０７で画像の記録に適した色空間であるかどうかを判定する。ステップＳ１４０７で適さないと判定されたらＮｏ側に進み、輝度データＹおよびクロマデータＣからなる表示用画像信号（ＹＣ信号）である場合には、ステップＳ１４０８でＹＣ信号をＲＧＢ信号に変換する。そしてステップＳ１４０９でＲＧＢ信号からなるプリントデータを生成する。
【０１１８】
このプリントデータが画像処理部で生成されたら、印刷処理部にプリントデータが転送され、印刷処理部で画像の記録処理が行なわれる。
【０１１９】
図１５は印刷処理部のプリント処理プロセスのフローチャートである。
【０１２０】
ステップＳ１５０１でまず、印刷処理部に光学ヘッドの駆動部に当たるステッピングモータ１６２１ａと光学ヘッド１６への電力供給を行なわせ、次のステップＳ１５０２で印刷処理部１８３にステッピングモータ１６２１ａの駆動を開始させる。次のステップＳ１５０３で印刷開始タイミングであるかどうかを判定する。この印刷開始タイミングであるかどうかは、印刷処理部から各シャッタにデータを転送するタイミングを指しており、ここでは、光学ヘッド１６の位置が原点センサ１８０Ｂ側にあるかどうかを判定している。ステップＳ１５０４で、光学ヘッド１６が原点位置にあると判定したら、Ｙｅｓ側に進み、印刷処理部に光学ヘッドのシャッタ部のシャッタスピードの制御を開始させるためプリントデータの転送を開始させる。その転送されたプリントデータに応じて光学ヘッドの各シャッタのシャッタスピードを印刷制御部に制御させ、４８０ドット分の光点を記録する。この主走査方向の４８０ドット分の光点を光学ヘッドにより記録させたら、ステッピングモータを駆動させ、光学ヘッドの位置を１ライン分移動させ、次の主走査方向の１ライン分の光点を記録させる。さらに光学ヘッド１６をステッピングモータ１６２１ａにより１ライン分ずつずらして光点を次々と記録していく。
【０１２１】
次のステップＳ１５０５でプリントデータ終了かどうかを判定し、転送すべきプリントデータが印刷制御部１８３内に無かったら、Ｙｅｓ側に進み、ステップＳ１５０７へ移行する。転送すべきプリントデータがまだ印刷制御部１８３内にあったら、Ｎｏ側に進み、ステップＳ１５０６で印刷領域終了であるかどうかを判定する。ここでは画像の記録領域終了を示す終端センサ１８０Ｃの出力が変化していなかったらＮｏ側に進み、ステップＳ１４０６へと戻る。
【０１２２】
このステップＳ１５０６で終端センサの出力が変化して光学ヘッドの位置が印刷領域終了部にあると判定したら、Ｙｅｓ側に進み、ステップＳ１５０７へ移行する。
【０１２３】
ステップＳ１５０７で、印刷制御部１８３での光学ヘッド１６の制御を終了させ、プリントデータの転送を停止させる。ステップＳ１５０８で印刷制御部にステッピングモータ１６２１ａの駆動も終了させ、光学ヘッド１６への電力供給を停止させる。次のステップＳ１４１０でタイマをスタートさせ、次の画像の記録を行なうまでの時間の計時を開始する。この計時により、この画像の記録が行なわれた後、次の画像の記録が行なわれるまでの時間が計時される。このタイマでの計時結果が画像転送部および画像データ消去部に当たる画像処理部１８２に画像データの転送を行なわせるか否かまた画像データの消去を行なわせるか否かの判定基準となる。
【０１２４】
このフローの処理が終了したらインスタントフィルムの排出処理を開始させる。
【０１２５】
図１６はインスタントフィルムのフィルムの排出処理プロセスのフローチャートである。
【０１２６】
まずステップＳ１６０１で電源部１８１に出力をオフさせる。次のステップＳ１６０２で展開モータを駆動し、展開モータにより現像ローラを回転させる。次のステップＳ１６０３でフィルムの排出処理が終了したかどうかを判定する。インスタントフィルムの排出が検出されたら、展開モータの駆動を停止する。この排出の完了を検出するときには、通常の排出処理に要する時間以内（タイムアウト前）に、インスタントフィルムがプリンタ内部にないことがセンサで検出される。
【０１２７】
ここでフィルムの排出が完了し、Ｙｅｓ側に進んだら、次のステップＳ１６０４で展開モータをオフさせ、ステップＳ１６０５でマイクロ波通信、赤外線通信、シリアル通信を有する外部ＩＦ１８２１への電力の供給を断つ。
【０１２８】
以上が画像データの画像の記録に係るプロセスである。
【０１２９】
このようにして、カメラ付き携帯電話で撮影した画像データをこのプリンタに送信するだけで、確実にその画像データに基づく画像の記録が行なえるプリンタが実現される。
【０１３０】
以上説明したように、電力消費が徹底的に抑制されたプリンタに、外部から赤外線、マイクロ波などを用いて無線通信により画像データが送信されてきたときに確実に画像データが受信され画像データに基づく画像の記録が行なわれる可搬型画像記録装置が実現される。
【０１３１】
なお、ここでは無線通信周波数として２．４ＧＨｚ帯のマイクロ波通信を例に挙げたが、マイクロ波帯よりも周波数の低いＶＨＦ帯（４００ＭＨｚ、８００ＭＨｚ帯）であっても、マイクロ波よりも周波数の高いミリ波帯であっても良い。
【図面の簡単な説明】
【０１３２】
【図１】本発明の実施形態であるプリンタを斜め上方から見た斜視図である。
【図２】プリンタ内部に装填されたインスタントフィルムがプリンタ外部に排出されるときの状態を示す図である。
【図３】本発明の実施形態であるプリンタの背面を斜め上方から見た斜視図である。
【図４】図４に示した光学ヘッドの構成を示す模式図である。
【図５】プリンタ内部の信号処理系統の構成ブロック図である。
【図６】図６のＣＰＵが行なう処理手順を示すフローチャートである。
【図７】図６のステップＳ６０５の待ち受け処理の手順を示すフローチャートである。
【図８】図６のステップＳ６１０、図７のステップＳ７０９に示すプリンタデータ展開処理プロセスの手順を示すフローチャートである。
【図９】図６のステップＳ６０６、図７のステップＳ７１０に示すプリントデータ補正ＳＷ処理プロセスの処理手順を示すフローチャートである。
【図１０】図６のステップＳ６０７、図７のステップＳ７１１に示す赤外線通信処理プロセスの処理手順を示すフローチャートである。
【図１１】図６のステップＳ６０７１、図７のステップＳ７１２に示すマイクロ波通信処理プロセスの処理手順を示すフローチャートである。
【図１２】図６のステップＳ６０８、図７のステップＳ７１３に示すシリアル通信処理プロセスの処理手順を示すフローチャートである。
【図１３】図６のステップＳ６１１，Ｓ６１２、図７のステップＳ７１４，Ｓ７１５に示すプリントデータ電源ｏｆｆ処理プロセスおよびオートｏｆｆ処理プロセスの処理手順を示すフローチャートである。
【図１４】図６のステップＳ６１３に示すプリント前処理プロセスの処理手順を示すフローチャートである。
【図１５】図６のステップＳ６１４に示すプリント処理プロセスの処理手順を示すフローチャートである。
【図１６】図６のステップＳ６１５に示すフィルム排出処理プロセスの処理手順を示すフローチャートである。
【符号の説明】
【０１３３】
１  プリンタ
１ａ  筐体
１０ａ  電池装填室
１ｂ  電池
１００ａ    フィルム装填室
１０１ａ    フィルムドア
１０１１ａ  １０１２ａ    バネ部材
１００    インスタントフィルムパック
１００１    インスタントフィルムシート
１００１＿１    現像溜り
１００１＿２    記録部
１０    各種スイッチ
１１    電源ＳＷ
１２    プリントＳＷ
１３    プリントデータ補正ＳＷ
１４    ＬＣＤパネル
１５    受光素子
１５ａ    アンテナ
１６    光学ヘッド
１６１    ラック部材
１６１ａ    リードスクリュー
１６１１ａ    ガイド棒
１６２ａ    ステッピングモータ
１６２１ａ    ステッピングモータドライバ
１６３Ｒ  １６３Ｇ  １６３Ｂ    発光素子
１６４    導光板
１６５    液晶シャッタアレイ
１６６    セルフォックレンズ（登録商標）
１７    展開モータ
１７ａ    展開モータドライバ
１７ｂ    現像ローラ
１８０    ＣＰＵ
１８０Ａ    温度センサ
１８０Ｂ    原点センサ
１８０Ｃ    終端センサ
１８１    電源部
１８２    画像処理部
１８２１    外部Ｉ／Ｆ
１８２１ａ    送受信モジュール
１８３    印刷処理部
１８４    ＲＡＭ
１８５    ＦＬＡＳＨＭＥＭＯＲＹ
【図１】
2006106612.tif 000003
【図２】
2006106612.tif 000004
【図３】
2006106612.tif 000005
【図４】
2006106612.tif 000006
【図５】
2006106612.tif 000007
【図６】
2006106612.tif 000008
【図７】
2006106612.tif 000009
【図８】
2006106612.tif 000010
【図９】
2006106612.tif 000011
【図１０】
2006106612.tif 000012
【図１１】
2006106612.tif 000013
【図１２】
2006106612.tif 000014
【図１３】
2006106612.tif 000015
【図１４】
2006106612.tif 000016
【図１５】
2006106612.tif 000017
【図１６】
2006106612.tif 000018